(57)【要約】【課題】電源や大型の治療器具などを不要として、簡単に効率よく肩こりや筋肉疲労などを電磁波によって改善する。【解決手段】電磁波治療器１０は、アンテナ鍼１３および固定部材１２を有する。アンテナ鍼１３は、一方の先端部が針状に形成される尖端部１３ａを有する。固定部材は、アンテナ鍼１３を固定する。このアンテナ鍼１３は、アンテナ鍼１３の尖端部１３ａが固定部材１２から突出するように固定されている。また、アンテナ鍼１３は、空間中の電磁波を受信するアンテナとして機能する。【選択図】図１
2018068801.tif 000002
【特許請求の範囲】
【請求項１】
一方の先端部が針状に形成される鍼部と、
前記鍼部を固定する固定部材と、
を有し、
前記鍼部は、前記鍼部の前記針状の先端部が前記固定部材から突出するように固定されており、
前記鍼部は、空間中の電磁波を受信するアンテナとして機能する、電磁波治療器。
【請求項２】
請求項１記載の電磁波治療器において、
前記固定部材を皮膚に貼り付ける接着テープを有し、
前記固定部材は、前記接着テープの粘着面に対向する面に設けられ、
前記鍼部の前記針状の先端部は、前記接着テープの粘着面から突出する、電磁波治療器。
【請求項３】
請求項１または２記載の電磁波治療器において、
前記鍼部は、携帯電話の通信に用いられる周波数帶の電磁波を受信する、電磁波治療器。
【請求項４】
請求項１〜３のいずれか１項に記載の電磁波治療器において、
前記固定部材は、金属接着性樹脂からなる、電磁波治療器。
【請求項５】
請求項１〜４のいずれか１項に記載の電磁波治療器において、
前記鍼部は、疑似アースとして機能するラジアルを有する、電磁波治療器。
【請求項６】
請求項１〜４のいずれか１項に記載の電磁波治療器において、
前記鍼部は、ローディングコイルが形成される、電磁波治療器。
【発明の詳細な説明】
【技術分野】
【０００１】
本発明は、電磁波治療器に関し、特に、電磁波によって血行を促進する治療に有効な技術に関する。
【背景技術】
【０００２】
肩こりなどを治療する電子機器として、例えば交流磁場治療器が知られている。この種の交流磁場治療器は、家庭用電源である商用電源などを用いて発生させた交流磁場、言い換えれば電磁波を人体に浴びせることにより、血行を促進してこりなどをほぐすものである。
【０００３】
また、血行を促進してこりをほぐす他の技術として、鍼治療が広く施術されている。この鍼治療は、全身にあるツボなどに鍼を刺入する鍼刺激によって、こりをほぐすものである。
【０００４】
なお、この種の鍼治療に用いられる鍼としては、例えば皮膚に極浅く刺入することにより、刺入感覚のほとんどない短鍼がある（例えば特許文献１参照）。この特許文献１には、円板状の台座に針体の針先が突出した状態で固定して画鋲形の鍼とし、これを絆創膏に保持させて用いる旨が記載されている。
【先行技術文献】
【特許文献】
【０００５】
【特許文献１】特開２００８−１１３７１４号公報
【発明の概要】
【発明が解決しようとする課題】
【０００６】
しかしながら、上述した交流磁場治療器では、交流磁場を発生させる治療器が必要であるのでコストが高くなってしまう。また、治療器には、動作電源として商用電源が必要となる。そのため、治療の際には、患者が治療器の設置場所まで出向いていかなければならず、手軽にどこでも治療することができないという問題がある。
【０００７】
一方、短鍼による鍼治療の場合には、短鍼を刺入した部位の筋肉をほぐすことはできるが、その効果は、交流磁場を人体に浴びせる交流磁場治療器に比べると限定される恐れがある。
【０００８】
本発明の目的は、電源や大型の治療器具などを不要として、簡単に効率よく肩こりや筋肉疲労などを電磁波によって改善することのできる技術を提供することにある。
【０００９】
本発明の前記ならびにその他の目的と新規な特徴については、本明細書の記述および添付図面から明らかになるであろう。
【課題を解決するための手段】
【００１０】
本願において開示される発明のうち、代表的なものの概要を簡単に説明すれば、次のとおりである。
【００１１】
すなわち、代表的な電磁波治療器は、一方の先端部が針状に形成される鍼部と、該鍼部を固定する固定部材と、を有する。鍼部は、該鍼部の前記針状の先端部が固定部材から突出するように固定されており、該鍼部は、空間中の電磁波を受信するアンテナとして機能する。
【００１２】
特に、鍼部は、携帯電話の通信に用いられる周波数帶の電磁波を受信する。
【発明の効果】
【００１３】
本願において開示される発明のうち、代表的なものによって得られる効果を簡単に説明すれば以下のとおりである。
【００１４】
簡単に効率よく、低コストにて肩こりや筋肉疲労などを改善することができる。
【図面の簡単な説明】
【００１５】
【図１】実施の形態１による電磁波治療器における構成の一例を示す断面図である。
【図２】図１の電磁波治療器の底面図である。
【図３】図１の電磁波治療器を患者の皮膚に貼り付けた際の一例を示す説明図である。
【図４】実施の形態２による電磁波治療器における構成の一例を示す断面図である。
【図５】図４の概観の一例を示す説明図である。
【図６】実施の形態３による電磁波治療器における構成の他の例を示す断面図である。
【図７】図６の概観の一例を示す説明図である。
【図８】図６の電磁波治療器における構成の他の例を示す断面図である。
【図９】図８の概観の一例を示す説明図である。
【図１０】図６の電磁波治療器における構成のさらに他の例を示す断面図である。
【図１１】図１０の概観の一例を示す説明図である。
【図１２】図１０の電磁波治療器における構成の他の例を示す断面図である。
【図１３】図１２の概観の一例を示す説明図である。
【発明を実施するための形態】
【００１６】
以下の実施の形態においては便宜上その必要があるときは、複数のセクションまたは実施の形態に分割して説明するが、特に明示した場合を除き、それらはお互いに無関係なものではなく、一方は他方の一部または全部の変形例、詳細、補足説明等の関係にある。
【００１７】
また、以下の実施の形態において、要素の数等（個数、数値、量、範囲等を含む）に言及する場合、特に明示した場合および原理的に明らかに特定の数に限定される場合等を除き、その特定の数に限定されるものではなく、特定の数以上でも以下でもよい。
【００１８】
さらに、以下の実施の形態において、その構成要素（要素ステップ等も含む）は、特に明示した場合および原理的に明らかに必須であると考えられる場合等を除き、必ずしも必須のものではないことは言うまでもない。
【００１９】
同様に、以下の実施の形態において、構成要素等の形状、位置関係等に言及するときは特に明示した場合および原理的に明らかにそうではないと考えられる場合等を除き、実質的にその形状等に近似または類似するもの等を含むものとする。このことは、上記数値および範囲についても同様である。
【００２０】
また、実施の形態を説明するための全図において、同一の部材には原則として同一の符号を付し、その繰り返しの説明は省略する。なお、図面をわかりやすくするために平面図であってもハッチングを付す場合がある。
【００２１】
（実施の形態１）
〈電磁波治療器の構成例〉
以下、実施の形態を詳細に説明する。
【００２２】
図１は、本実施の形態による電磁波治療器１０における構成の一例を示す断面図である。図２は、図１の電磁波治療器１０の底面図である。
【００２３】
電磁波治療器１０は、図１および図２に示すように、接着テープ１１、固定部材１２、およびアンテナ鍼１３を有する。接着テープ１１は、例えば円形状からなり、一方の面が粘着面１１ａとなっている。なお、図２は、図１の電磁波治療器１０を接着テープ１１の粘着面側から見た例を示している。
【００２４】
固定部材１２は、アンテナ鍼１３を固定する台座である。この固定部材１２は、例えば半球状からなり、その径は、固定部材１２よりも小径である。固定部材１２は、該固定部材１２の平坦面が接着テープ１１の表面１１ｂに接着されている。表面１１ｂは、粘着面１１ａに対向する面である。
【００２５】
固定部材１２は、金属と接着可能な樹脂、すなわち金属接着性樹脂であり、例えば４ＭＥＴＡ（4-MEthacryloxyethyl Trimellitate Anhydride）などの樹脂からなる。４ＭＥＴＡは、後述するアンテナ鍼１３を接着して固定するとともに、固定部材１２を接着テープ１１の表面１１ｂに接着するものである。
【００２６】
なお、アンテナ鍼１３を接着して固定する固定部材１２は、４ＭＥＴＡなどの樹脂に限定されるものではなく、例えば歯科用のメタルプライマなどの人体に害がなく、かつアンテナ鍼１３を接着して固定することのできるものであればよい。
【００２７】
また、接着テープ１１の形状は、円形以外の形状であってもよく、例えば四角形などの多角形であってもよい。同様に、固定部材１２についても、形状に制限はなく、円板状や四角形状などの多角形であってもよい。
【００２８】
鍼部となるアンテナ鍼１３は、断面が円形の棒、すなわち丸棒からなり、該アンテナ鍼１３の一方の先端部には、針状の尖った尖端部１３ａが形成されている。尖端部１３ａは、固定部材１２が接着されている接着テープ１１の粘着面１１ａから突出しており、アンテナ鍼１３のその他の部分は、固定部材１２に埋め込まれるように接着固定されている。
【００２９】
アンテナ鍼１３は、患者の皮膚に刺入する鍼であり、例えばステンレスなどの材質からなる。具体的には、接着テープ１１の粘着面１１ａを患者の皮膚に貼り付けた際に、粘着面１１ａから突出したアンテナ鍼１３の尖端部１３ａが皮膚に刺入される。
【００３０】
なお、ここでは、接着テープ１１によって電磁波治療器１０を皮膚に貼り付ける例を示したが、例えば固定部材１２の平坦面に接着材などを塗布することによって、該固定部材１２の平坦面を皮膚に貼り付けるようにしてもよい。
【００３１】
また、アンテナ鍼１３は、空間に飛び交っている電磁波を受信するアンテナとして機能する。空間中に多量に飛び交う電磁波としては、例えば携帯電話に使用される周波数帶の電磁波がある。
【００３２】
よって、ここでは、電磁波を効率よく受信することのできる周波数帶として、２ＧＨｚ帶の電磁波を受信するアンテナとする。２ＧＨｚ帶の周波数は、携帯電話におけるデータ通信規格の１つであるＬＴＥ（Long Term Evolution）に用いられる周波数帶である。
【００３３】
なお、アンテナ鍼１３の材質は、上述したステンレスに限定されるものではなく、人体に害がなく、電磁波を受信するアンテナとして機能する材質であればよい。
【００３４】
ここで、ＬＴＥに用いられる２ＧＨｚ帶の周波数は、およそ１９２０ＭＨｚ〜２２００ＭＨｚである。これにより、空間を飛び交う電磁波を効率よく受信することができる。
【００３５】
よって、アンテナ鍼１３の全長、すなわちアンテナ長は、上述したＬＴＥの周波数帶に用いられる２ＧＨｚ帶の電磁波を受信するのに適した長さとする。
【００３６】
例えば、２ＧＨｚ帶の周波数のうち、２．１ＧＨｚの周波数の電磁波を受信する場合、周波数が２．１ＧＨｚの波長λは、約１４２．８５ｍｍとなる。ここで、波長λは、式１にて求めることができる。
【００３７】
波長λ＝光速（３０００００ｋｍ／ｓ）／周波数［Ｈｚ］    （式１）
また、上述した約１４２．８５ｍｍの波長λを効率よく受信することのきでるアンテナ長は、次式にて求めることができる。
【００３８】
アンテナ長Ｌ＝λ／２N                                    （式２）
ここで、式２において、Ｎ＝５とすると、アンテナ鍼１３の全長は、２．２３２ｍｍ程度となる。これによって、アンテナ長を２．１ＧＨｚの周波数に応じた長さに設定することができるので、電磁波を効率よく受信することができる。
【００３９】
また、接着テープ１１の粘着面１１ａから突出したアンテナ鍼１３の長さは、例えば０．３ｍｍ程度であるとした場合、固定部材１２に埋め込まれているアンテナ鍼１３の長さは、１．９２２ｍｍ程度となる。
【００４０】
なお、このアンテナ鍼１３の長さは、一例を示したものであり、式２に基づいて、アンテナ鍼１３の長さは、任意に調整することができる。
【００４１】
固定部材１２の主面から突出するアンテナ鍼１３の尖端部１３ａの長さは、長すぎると刺入した際に痛みなどを感じる恐れがあり、短すぎる場合には、確実に皮膚に刺入されない恐れがある。よって、刺入感覚がほとんどなく、かつ確実に皮膚に刺入される長さとして、アンテナ鍼１３の突出長さは、上述した０．３ｍｍ程度がよい。
【００４２】
なお、固定部材１２の主面から突出するアンテナ鍼１３の尖端部１３ａの長さは、一例であり、特に制限されるものではない。また、アンテナ鍼１３の材質についても、特に限定されるものではなく、例えばアルミニウムなどの人体への影響がなく、アンテナとして良好に機能する材質であればよい。
【００４３】
〈電磁波治療器による治療例〉
続いて、電磁波治療器１０の作用について説明する。
【００４４】
図３は、図１の電磁波治療器１０を患者の皮膚に貼り付けた際の一例を示す説明図である。
【００４５】
まず、電磁波治療器１０の使用に際しては、図３に示すように、該電磁波治療器１０の接着テープ１１の粘着面１１ａを図３に示す患者の皮膚にあてがい、接着テープ１１の粘着面１１ａを皮膚に接着させる。
【００４６】
これによって、患者の皮膚に接着テープ１１の粘着面１１ａから突出したアンテナ鍼１３の尖端部１３ａが刺入されるとともに、接着テープ１１によって、電磁波治療器１０が皮膚表面に付着して固定される。
【００４７】
アンテナ鍼１３は、上述したように、空間に飛び交っている電磁波、特に携帯電話におけるＬＴＥに用いられる２ＧＨｚ帶の電磁波を受信するものであり、ここでは、アンテナ鍼１３が２．１ＧＨｚ程度の電磁波を受信するアンテナとする。
【００４８】
そして、アンテナ鍼１３が２．１ＧＨｚ程度の電磁波を受信すると、受信した電磁波は、該アンテナ鍼１３の集波効果によってほぼ熱に変換され、アンテナ鍼１３の尖端部１３ａの温度が上昇することによるお灸効果が生じる。このお灸効果によって疲労回復や肩こりの軽減などの治療を行うことができる。
【００４９】
続いて、上述したお灸効果の作用について説明する。
【００５０】
熱作用を評価する量として、例えばＳＡＲ（比吸収率：Specific Absorption Rate）が知られている。このＳＡＲは、生体が電磁界にさらされることによって、単位質量あたりの組織に単位時間に吸収されるエネルギ量である。総務相の定める電波防護指針では、一般の居住環境などにおいて局所ＳＡＲの基準値を２Ｗ／ｋｇとしている。
【００５１】
ここで、生体への熱吸収の例として、灸による比吸収率を考える。
【００５２】
一般的な灸は、大きさが直径３０ｍｍ程度であり、患部を１０℃以上上昇できる効果を有する。そこで、灸を置いた皮膚面の下半球分の筋肉組織が１０℃上昇したと仮定して、下記を与える。
【００５３】
温度上昇した体積：２／３×π×（１５×１０-3）［ｍ3］
筋肉組織の密度：１．０８×１０3 ［ｋｇ／ｍ3］
以上より、温度上昇した筋肉組織重量は、体積×密度なので、７．６３×１０-3［ｋｇ］と計算される。上記の算出した温度上昇した筋肉組織重量は、簡単化して算出したものであり、実際には、灸にて温められた筋組織は、もっと広範囲である考えられる。
【００５４】
また、筋組織の比熱は、水と同じく４．２［Ｊ／ｇ×℃］とすると、灸によって暖められた筋組織へ与えられた熱量は、４０２×７．６３×１０［Ｊ]となる。４０２×７．６３×１０［Ｊ]の熱量が、例えば５００秒間にて筋組織に与えられると仮定すると、比吸収率ＳＡＲは、以下のように推定される。
【００５５】
［Ｗ／ｋｇ］＝［Ｊ／ｓｅｃ／ｋｇ］＝｛（４．２×７．６３×１０）／５００｝／｛７．６３×１０-3｝＝８４［Ｗ／ｋｇ］
以上より、局所ＳＡＲが２Ｗ／ｋｇの場合、灸による温熱効果、すなわちお灸効果は、８４［Ｗ／ｋｇ］となり、該お灸効果は、時間当たりでは日常的に曝露される電磁波による効果の約４１倍となる。
【００５６】
しかし、お灸施術時間を１５分とし、電磁波治療器１０の貼付時間を３日、すなわち７２時間とした場合、その総熱量は、お灸１に対して該電磁波治療器１０が７となり、熱作用を主とするお灸効果が該電磁治療器１０に十分期待できることが分かる。
【００５７】
このように、皮下に刺入するアンテナ鍼１３にアンテナの機能を持たせることにより、電磁波治療器１０を患者の皮膚にあてがうだけで、空間中の電磁波を効率よく受信した際のアンテナ鍼１３の尖端部１３ａの温度上昇に起因するお灸効果によって肩こりや筋肉疲労などの治療を行うことができる。
【００５８】
また、上述したお灸効果に加えて、空間中の電磁波を受信して皮下に浴びせることによる肩こりや筋肉疲労などの治療についても期待することができる。
【００５９】
電磁波を皮下に浴びせることによって肩こりや筋肉疲労などを緩和させるメカニズムについては、例えば以下に示す２つのことが考えられる。
【００６０】
まず、１つ目は、皮下において電磁波が浴びせられると、血管の内皮細胞が一酸化窒素（ＮＯ）を分泌する。一酸化窒素は、血管拡張性メディエーターとなることが知られており、該一酸化窒素によって血管が拡張して血流がよくなる。その結果、肩こりの改善や筋肉疲労の回復などを行うというものである。
【００６１】
２つ目としては、アンテナ鍼１３が受信した電磁波が電流に変換され、その電流が該アンテナ鍼１３を通じて皮下に通電されることにより、筋肉などの緊張が緩和されるというものである。
【００６２】
以上により、空間中の電磁波を受信して皮下に浴びせることにより、電磁波を生成する治療機器などを不要としながら、肩こりや筋肉疲労などの治療を行うことができる。
【００６３】
これによって、商用電源などの電源が必要な治療機器などを用いることなく手軽にかつ低コストに肩こりや筋肉疲労などの症状を改善することができる。
【００６４】
また、電磁波治療器１０を皮膚に貼り付けるだけでよいので、治療機器などを用いた際に必要となる施術の時間が不要となり、施術による時間の制約を軽減することができる。
【００６５】
なお、ここでは、電磁波を効率よく受信するために、空間中に多く飛び交っている電磁波として携帯電話に用いられる周波数帶の電磁波を受信するものとしたが、受信する電磁波については、例えば無線ＬＡＮ（Local Area Network）などの携帯電話に使用される周波数帶の電磁波以外であってもよく、これに制限されるものではない。その際には、電磁波治療器１０のアンテナ鍼１３は、受信する周波数帶の電磁波の受信に適した長さに設定する。
【００６６】
このように、アンテナ鍼１３のアンテナ長を受信する電磁波の周波数を考慮した長さににすることによって、集波したい電磁波を限定して効率よく集めることができる。また、アンテナ鍼１３の長さがそれぞれ異なる電磁波治療器１０を皮膚に貼り付けることができる。これによって、集波する周波数の違いから生じる治療効果を考慮した治療を行うことができる。
【００６７】
また、携帯電話に使用される周波数帶が２ＧＨｚ帶から異なる周波数帶に移行した際には、移行した周波数帶の電磁波が空間中をより多く占めることになる。
【００６８】
その場合には、移行した周波数帶の電磁波を受信することによって、より効率的に電磁波を受信することができる。その際においても、電磁波治療器１０のアンテナ鍼１３は、移行した周波数帶の電磁波を受信するのに適した長さに設定する。
【００６９】
なお、本実施の形態では、電磁波治療器１０におけるアンテナ鍼１３がホイップアンテナからなる例について説明したが、該アンテナ鍼１３の形状は、これに制限されるものではなく、電磁波を効率よく受信することのできるものであればよい。
【００７０】
（実施の形態２）
〈概要〉
本実施の形態２では、アンテナ鍼１３における他の例について説明する。
【００７１】
前記実施の形態１の図１に示す電磁治療器１０が有するアンテナ鍼１３のアンテナ長は、１／４λとなることが理想である。一方、電磁治療器１０には、装着時の違和感などを軽減するために小型化が求められる。そのため、アンテナ長についても、λ／４ではなく、λ／２N(Ｎは整数）としてより短くすることが求められる。しかしながら、アンテナ長を短くするほど、アンテナとしての本来の機能、すなわち電磁波を集める機能を失う可能性が高い。
【００７２】
そこで、本実施の形態２においては、電磁治療器１０を大型化することなく、効率よく電磁波を集めることのできる電磁治療器１０について説明する。
【００７３】
〈電磁波治療器の構成例〉
図４は、本実施の形態２による電磁波治療器における構成の一例を示す断面図である。図５は、図４の概観の一例を示す説明図である。
【００７４】
図４および図５に示す電磁波治療器１０が図１の電磁波治療器１０と異なる点は、アンテナ鍼１３の形状である。上述のように、図１では、アンテナ鍼１３がホイップアンテナであったが、図４に示す電磁波治療器１０では、アンテナ鍼１３に延長コイル、すなわちローディングコイルであるコイル部１３ｃが形成された構成となっている。
【００７５】
この図４では、コイル部１３ｃがアンテナ鍼１３のほぼ中間に形成されている、いわゆるセンタロードの例を示しているが、該コイル部１３ｃの位置は、尖端部１３ａ以外であれば特に制限はなく、例えば尖端部１３ａと反対側の端部近傍などに形成する、いわゆるトップロードなどの任意の位置にコイル部１３ｃを形成してもよい。
【００７６】
このように、アンテナ鍼１３の一部がコイル状となることによってアンテナの電気長を延長することができる。その結果、物理的なアンテナ長を長くすることなく、図１のアンテナ鍼１３よりも、より効率よく電磁波を受信することができる。また、その他の構成については、図１および図２と同様であるので説明は省略する。
【００７７】
以上により、電磁波治療器１０を大型化することなく、より効率的に電磁波を受信することが可能となる。その結果、お灸効果をより強くすることが可能となり、手軽にかつ低コストに肩こりや筋肉疲労などの症状をより軽減することができる。
【００７８】
（実施の形態３）
〈概要〉
アンテナ鍼の形状については、前記実施の形態１，２に示したアンテナ鍼の形状に制限されるものではなく、電磁波を効率よく受信することのできるものであればよい。本実施の形態３では、アンテナ鍼の他の形状例について説明する。
【００７９】
〈電磁波治療器の構成例〉
図６は、本実施の形態３による電磁波治療器における構成の他の例を示す断面図である。図７は、図６の概観の一例を示す説明図である。
【００８０】
図１の電磁波治療器１０では、アンテナ鍼１３がホイップアンテナであったが、図６および図７に示す電磁波治療器１０では、アンテナ鍼１３に４本のラジアル１３ｂが新たに設けられた構成からなる。その他の構成については、図１および図２と同様であるので説明は省略する。
【００８１】
ラジアル１３ｂは、疑似アースとして機能する素子であり、放射素子として機能するアンテナ鍼１３に取り付けられる。これら４本のラジアル１３ｂは、アンテナ鍼１３の外周面から該アンテナ鍼１３の半径方向に延びるようにそれぞれ設けられており、隣り合う各々のラジアル１３ｂは、直角に取り付けられている。すなわち、一般的なグランドプレーンアンテナと同様の形状からなる。
【００８２】
これにより、電磁波治療器１０が大型化することを軽減しながら、効率よく電磁波を受信することができる。
【００８３】
〈電磁波治療器の他の構成例〉
また、図８は、図６の電磁波治療器における構成の他の例を示す断面図である。図９は、図８の概観の一例を示す説明図である。
【００８４】
図８および図９に示す電磁波治療器１０では、アンテナ鍼１３に１本のラジアル１３ｂを設けた構成からなる。ラジアル１３ｂは、アンテナ鍼１３の外周面から該アンテナ鍼１３の半径方向に延びるように設けられており、いわゆるＬ型グランドプレーンアンテナの形状からなる。これによっても、電磁波治療器１０が大型化することを軽減しながら、効率よく電磁波を受信することができる。
【００８５】
また、図１０は、図６の電磁波治療器における構成のさらに他の例を示す断面図である。図１１は、図１０の概観の一例を示す説明図である。
【００８６】
図６〜図９に示す電磁波治療器１０では、アンテナ鍼１３に４本あるいは１本のラジアルを設けた構成としたが、図１０および図１１に示す電磁波治療器１０の場合には、接着テープ１１の粘着面１１ａに円板状のラジアル１５が設けられた構成からなる。このラジアル１５は、例えばアンテナ鍼１３と同じ材質からなるものとするが、ラジアル１５の材質は、これに限定されるものではなく、導電体であればよい。
【００８７】
アンテナ鍼１３の尖端部１３ａは、接着テープ１１の粘着面１１ａを貫通して円板状のラジアル１５のほぼ中心部から突出するように形成されている。円板状のラジアル１５の半径は、アンテナ鍼１３のアンテナ長の１／４が最も適したサイズとなる。
【００８８】
ラジアル１５は、接着テープ１１の粘着面１１ａを患者の皮膚に貼り付ける際に、患者の皮膚に該ラジアル１５が密着することにより疑似アースとして機能する。また、ラジアル１５から突出したアンテナ鍼１３の尖端部１３ａは、皮膚に刺入される。
【００８９】
これによっても、電磁波治療器１０が大型化することを軽減しながら、効率よく電磁波を受信することができる。
【００９０】
また、図１２は、図１０の電磁波治療器における構成の他の例を示す断面図である。図１３は、図１２の概観の一例を示す説明図である。
【００９１】
図１０および図１１に示す電磁波治療器１０は、接着テープ１１の粘着面１１ａに円板状のラジアル１５が設けられた構成であったが、図１２および図１３に示す電磁波治療器１０の場合には、ラジアル１５の代わりに円板状の樹脂１６が設けられた構成からなる。
【００９２】
アンテナ鍼１３の尖端部１３ａは、図１２に示すように、接着テープ１１の粘着面１１ａを貫通して円板状の樹脂１６のほぼ中心部から突出するように形成されている。樹脂１６は、接着テープ１１の粘着面１１ａを患者の皮膚に貼り付ける際に、患者の皮膚に該樹脂１６が密着して、該患者の皮膚が擬似アースとなり、ラジアルとして機能させることができる。
【００９３】
なお、本発明は上記した実施の形態に限定されるものではなく、様々な変形例が含まれる。例えば、上記した実施の形態は本発明を分かりやすく説明するために詳細に説明したものであり、必ずしも説明した全ての構成を備えるものに限定されるものではない。
【００９４】
また、ある実施の形態の構成の一部を他の実施の形態の構成に置き換えることが可能であり、また、ある実施の形態の構成に他の実施の形態の構成を加えることも可能である。また、各実施の形態の構成の一部について、他の構成の追加、削除、置換をすることが可能である。
【符号の説明】
【００９５】
１０  電磁波治療器
１１  接着テープ
１１ａ  粘着面
１１ｂ  表面
１２  固定部材
１３  アンテナ鍼
１３ａ  尖端部
１３ｂ  ラジアル
１３ｃ  コイル部
１５  ラジアル
１６  樹脂
【図１】
2018068801.tif 000003
【図２】
2018068801.tif 000004
【図３】
2018068801.tif 000005
【図４】
2018068801.tif 000006
【図５】
2018068801.tif 000007
【図６】
2018068801.tif 000008
【図７】
2018068801.tif 000009
【図８】
2018068801.tif 000010
【図９】
2018068801.tif 000011
【図１０】
2018068801.tif 000012
【図１１】
2018068801.tif 000013
【図１２】
2018068801.tif 000014
【図１３】
2018068801.tif 000015
【手続補正書】
【提出日】平成30年1月29日(2018.1.29)
【手続補正１】
【補正対象書類名】特許請求の範囲
【補正対象項目名】全文
【補正方法】変更
【補正の内容】
【特許請求の範囲】
【請求項１】
一方の先端部が針状に形成される鍼部と、
前記鍼部を固定する固定部材と、
を有し、
前記鍼部は、前記鍼部の前記針状の先端部が前記固定部材から突出するように固定されており、
前記鍼部は、設定した周波数帶の電磁波を受信するのに適したアンテナ長となるように形成され、空間中の前記電磁波を受信するアンテナとして機能する、電磁波治療器。
【請求項２】
請求項１記載の電磁波治療器において、
前記固定部材を皮膚に貼り付ける接着テープを有し、
前記固定部材は、前記接着テープの粘着面に対向する面に設けられ、
前記鍼部の前記針状の先端部は、前記接着テープの粘着面から突出する、電磁波治療器。
【請求項３】
請求項１または２記載の電磁波治療器において、
前記鍼部は、携帯電話の通信に用いられる周波数帶の電磁波を受信する、電磁波治療器。
【請求項４】
請求項１〜３のいずれか１項に記載の電磁波治療器において、
前記固定部材は、金属接着性樹脂からなる、電磁波治療器。
【請求項５】
請求項１〜４のいずれか１項に記載の電磁波治療器において、
前記鍼部は、前記鍼部の外周面から前記鍼部の半径方向に延びるように設けられた少なくとも１つの補助エレメントを有するグランドプレーンアンテナを形成する、電磁波治療器。
【請求項６】
請求項１〜４のいずれか１項に記載の電磁波治療器において、
前記鍼部は、前記アンテナの電気長を延長するローディングコイルが形成される、電磁波治療器。